【手続補正書】
【提出日】平成15年10月30日(2003.10.30)
【手続補正１】
【補正対象書類名】明細書
【補正対象項目名】全文
【補正方法】変更
【補正の内容】
【発明の名称】障子の組立構造
【特許請求の範囲】
【請求項１】障子の縦框と横框とを、ほぞとほぞ穴の受けとの結合により連結して組み立てられる障子の組立構造において、
ほぞは弾性体によって構成されると共に、ほぞ穴の受けは鉄で構成され、弾性体は締結部材の締結によって引き寄せられて弾性変形されることにより、縦框と横框との連結部を互いに弾性体の復元力により密着させる方向に弾性付勢することを特徴とする障子の組立構造。
【請求項２】横框に取り付けられた障子気密用のガイド部材を、縦框との連結部まで延長すると共に、ガイド部材の延長部に係合する係合溝を縦框に形成していることを特徴とする請求項１記載の障子の組立構造。
【発明の詳細な説明】
【０００１】
【発明の属する技術分野】
本発明は障子の組立構造に係り、特に木製サッシの障子の組立構造に関する。
【０００２】
【従来の技術】
木製サッシの縦框と横框との組み立ては、例えば横框にほぞを形成すると共に、縦框にほぞ穴を形成し、そして、前記ほぞの全面に接着剤を塗布した後、ほぞとほぞ穴を嵌合させる。そして、その嵌合部（サッシの隅部）を圧縮機によって９０°の角度に位置決め固定した後、前記嵌合部を木ねじで共締めをすることにより組み立てる。
【０００３】
【発明が解決しようとする課題】
しかしながら、従来の障子の組立構造では、ほぞの加工工程、ほぞ穴の加工工程、接着剤の塗布工程、圧縮機での位置決め工程、及び木ねじの共締め工程の計５つの工程が必要なので、組み立てに手間がかかるという欠点がある。障子の組み立ては、施工現場や販売店で行うのが流通の面から好ましいが、これらの５つの組立工程を、施工現場や販売店で行うのは難しいという欠点がある。
また、木製のサッシでは、ほぞ穴の加工後、数時間でほぞ穴が変形し、ほぞ穴にほぞが入らなくなるという欠点がある。
本発明は、このような事情に鑑みてなされたもので、組み立てが容易な障子の組立構造を提供することを目的とする。
【０００４】
【課題を解決するための手段】
本発明は、前記目的を達成するためになされたものであり、請求項１記載の発明は、障子の縦框と横框とを、ほぞとほぞ穴の受けとの結合により連結して組み立てられる障子の組立構造において、ほぞは弾性体によって構成されると共に、ほぞ穴の受けは鉄で構成され、弾性体は締結部材の締結によって引き寄せられて弾性変形されることにより、縦框と横框との連結部を互いに弾性体の復元力により密着させる方向に弾性付勢することを特徴としている。
【０００５】
本発明によれば、ほぞを弾性体によって構成し、この弾性体のほぞと、ほぞ穴とを締結部材で締結することにより、障子の縦框と横框とを連結する。この時に弾性体は、締結部材の締結によって引き寄せられて弾性変形され、縦框と横框との連結部を互いに弾性体の復元力で密着させる方向に弾性付勢する。これにより、縦框と横框とは強固に固定される。したがって、本発明は、締結部材で弾性体のほぞと、ほぞ穴とを締結するだけで障子を組み立てることができる。
また、縦框と横框とが木製である場合に、この縦框と横框とが経時変化しても、縦框と横框とは、弾性体のほぞによって密着する方向に弾性付勢されているので、隙間の発生を防止することができる。よって、本発明では、気密性及び水密性の優れた木製サッシの障子を提供することができる。
【０００６】
請求項２記載の発明は、横框に取り付けられている障子気密用のガイド部材を縦框と横框との位置決め用部材として有効利用した発明である。即ち、この発明では、前記ガイド部材を縦框との連結部まで延長し、そして、ガイド部材の延長部に係合する係合溝を縦框に形成している。したがって、ガイド部材の延長部に縦框の係合溝を係合させるだけで、縦框と横框との位置決めを容易に行うことができる。
【０００７】
【発明の実施の形態】
以下添付図面に従って本発明に係る障子の組立構造の好ましい実施の形態について詳説する。図１は、本発明に係る障子の組立構造が適用された木製サッシの内障子１０の全体斜視図、図２はその内障子１０の分解斜視図である。
【０００８】
図１、図２に示すように、前記内障子１０は、矩形状の枠体を構成する左右一対の縦框１２Ａ、１２Ｂ、上下一対の横框（上框１４Ａ、下框１４Ｂ）、及び、その枠体に嵌め込まれる透明ガラス板１６から構成される。
【０００９】
図２において、前記横框を構成する上框１４Ａには、その上面に溝２０が形成される。前記溝２０は上框１４Ａの長手方向に沿って形成され、この溝２０には、ＰＶＣで形成された上ガイド部材２２が固着されている。上ガイド部材２２は、断面が凹状に形成され、図示しない建物の躯体開口部側に設けられた上ガイドレールに係合される。これにより、内障子１０の上框１４Ａが上ガイドレールに沿って走行自在に支持される。
【００１０】
また、前記上ガイド部材２２の内側には、２枚の板状のパッキン２４、２４が貼着されている。これらのパッキン２４、２４は、上ガイド部材２２の長手方向で対向する面に貼着されており、その間で前記上ガイドレールが弾性をもって挟持される。したがって、この２枚のパッキン２４、２４によって、上框１４Ａと上ガイドレールとの間の気密性、及び水密性が維持される。なお、パッキン２４は片側の１枚でもよい。
【００１１】
前記上ガイド部材２２は、上框１４Ａの両端部から所定量延長されており、この延長部２２Ａ、２２Ａが縦框１２Ａ、１２Ｂの上部溝部２６、２６に係合される。
上框１４Ａの両端部には、ほぞを構成するＬ字状のばね鋼材２８、２８が設け
られる。このばね鋼材２８は、縦框１２Ａ、１２Ｂの上部の外側から挿入された
ボルト３０（締結部材）によって、縦框１２Ａ、１２Ｂの上部と９０°の角度を
もって締結される。
【００１２】
一方、図２に示す横框を構成する下框１４Ｂには、図３中点線で示すようにその下面に溝３２が形成される。前記溝３２は、下框１４Ｂの長手方向に沿って形成されて、アルミニウムで形成された断面凹状の下ガイド部材３４が固着される。この下ガイド部材３４は、図示しない建物の躯体開口部側に設けられた下ガイドレールに係合される。これにより、内障子１０の下框１４Ｂが下ガイドレールに沿って走行自在に支持される。
【００１３】
また、前記下ガイド部材３４の内側には、図示しない１枚又は２枚の板状のパッキンが貼着されている。これらのパッキンは、下ガイド部材３４の長手方向で対向する面に貼着されており、その間で前記下ガイドレールが弾性をもって挟持される。したがって、この１枚又は２枚のパッキンによって、下框１４Ｂとガイドレールとの間の気密性、及び水密性が維持される。
【００１４】
また、前記下ガイド部材３４は、上ガイド部材２２（図２参照）と同様に、下框１４Ｂの両端部から所定量延長されており、この延長部３４Ａ、３４Ａが縦框１２Ａ、１２Ｂの下部溝部３６、３６に係合される。
さらに、下框１４Ｂの両端部には、ほぞを構成するＬ字状のばね鋼材２８、２８が設けられる。このばね鋼材２８は、前記上框１４Ａに設けられたばね鋼材２８と同一部材であり、縦框１２Ａ、１２Ｂの下部の外側から挿入されたボルト３０（締結部材）によって、縦框１２Ａ、１２Ｂの下部と９０°の角度をもって締結される。
【００１５】
ここで、上框１４Ａと縦框１２Ａ、１２Ｂとの組立構造は、下框１４Ｂと縦框１２Ａ、１２Ｂとの組立構造と同一なので、ここでは、下框１４Ｂと縦框１２Ａ、１２Ｂとの組立構造について説明し、上框１４Ａと縦框１２Ａ、１２Ｂとの組立構造については説明を省略する。
【００１６】
図３は、下框１４Ｂと縦框１２Ｂとの組立構造を示す分解斜視図である。
同図に示すように、下框１４Ｂの端部には、Ｌ字状のばね鋼材２８が設けられ、ばね鋼材２８は、平坦部４６と折曲部４８とでＬ字状に形成される。このばね鋼材２８は、下框１４Ｂの溝４４の底部に形成された雨水排水用溝５０に、平坦部４６に形成された２本の爪５２、５２が係合されて位置決めされたのち、木ねじ５４、５４によって下框１４Ｂに固定される。また、この時、前記折曲部４８は図４に示すように、下框１４Ｂの端面１５から若干の隙間５６を持った位置に固定される。
【００１７】
一方、ばね鋼材２８のタップを含む全体には、ばね鋼材２８の焼入れ後に樹脂系塗料（例えばエポキシ系塗料）が塗布されている。この樹脂系塗料によって、前記木ねじ５４、５４の緩みが防止されている。
【００１８】
前記折曲部４８には、図３中点線で示すようにねじ孔５８が形成される。このねじ孔５８は、締結部材であるボルト３０のねじ部３１と螺合される。前記ボルト３０は図５に示すように、縦框１２Ｂの外側に形成された溝６０から、下部に形成された貫通孔６２を介して縦框１２Ｂの内側に挿入される。そして、ボルト３０の前記ねじ部３１が、受板（受け）６４の貫通孔６６を介して、前記折曲部４８のねじ孔５８に螺合される。前記受板６４は鉄製であり、図３、図４に示すように、縦框１２Ｂの溝４２の底部に形成された雨水排水用溝７０に、その上下端部に形成された２本の爪７２、７２が係合されて位置決めされる。この後、受板６４は、２本の木ねじ７４、７４によって縦框１２Ｂに固定される。
【００１９】
前記ボルト３０には、ナット６８が予め取り付けられており、このナット６８が前記受板６４の裏面に当接してストッパとして作用することにより、ボルト３０による締結が行われる。
【００２０】
ボルト３０を締結していくと、ばね鋼材２８の折曲部４８がねじ部３１との螺合によって、境界コーナー部４７を支点として引き寄せられて弾性変形し始める。これによって、ばね鋼材２８に復元力が生じ、この復元力によって下框１４Ｂと縦框１２Ｂとが互いに引き寄せられて密着される。ボルト３０の締結時に、前記ねじ部３１は、前述した隙間５６に侵入する。即ち、前記隙間５６は、ねじ部３１の逃げ用空間として予め形成されている。
【００２１】
ばね綱材２８の弾性変形を可能にするためには受板６４の変形がゼロであることがのぞましい。鉄製の受板６４がなく直接木の部分にボルト３０が係合すると木が経年変化し、ばね鋼材２８の弾性変形を意味のないものにする。
【００２２】
図５において、下框１４Ｂと縦框１２Ｂとの密着部は、下框１４Ｂが先広がり状のテーパ７６に形成され、縦框１２Ｂが先細状のテーパ７８に形成されている。また、これらのテーパ７６とテーパ７８との間には、パッキン８０が配置される。このパッキン８０は、下框１４Ｂのテーパ７６に予め貼着されている。
【００２３】
図３において、前記縦框１２Ｂの下端部には、断面凹状の下部溝部３６が形成される。この下部溝部３６は、前述したように下ガイド部材３４の延長部３４Ａと係合される溝であり、延長部３４Ａに下部溝部３６を係合させると、下框１４Ｂと縦框１２Ｂとが９０°の角度をもって位置決めされる。
【００２４】
次に、前記の如く構成された本実施の形態の障子の組立構造による、木製サッシの組立手順について説明する。
先ず、図３に示したように、下框１４Ｂの下ガイド部材３４の延長部３４Ａに、縦框１２Ｂの下部溝部３６を係合させて９０°の角度で位置決めする。そして、下框１４Ｂと縦框１２Ｂとをパッキン８０を介して当接させる。
【００２５】
次に、ボルト３０を、縦框１２Ｂの外側の溝６０から貫通孔６２を介して縦框１２Ｂの内側に挿入して、ねじ部３１を、受板６４の貫通孔６６を介して、ばね鋼材２８のねじ孔５８に螺合させる。
【００２６】
この状態でボルト３０を更に締め付けていくと、ナット６８のストッパ作用により、ばね鋼材２８の折曲部４８が境界コーナー部４７を支点として引き寄せられて弾性変形し始める。これによって、ばね鋼材２８に復元力が生じ、この復元力によって下框１４Ｂと縦框１２Ｂとが互いに引き寄せられて密着する。これで、下框１４Ｂと縦框１２Ｂとの連結作業が終了する。
そして、このようなボルト３０の締結作業を、内障子１０の他の３か所において実施することにより、内障子１０の組立作業が終了する。
【００２７】
したがって、本実施の形態によれば、ほぞをばね鋼材２８によって構成し、このばね鋼材２８のほぞと、ほぞ穴に対応する溝４２とをボルト３０で締結するという、締結工程のみの１工程で内障子１０を組み立てることができる。よって、本実施の形態では、障子の組み立てが容易になる。
【００２８】
また、本実施の形態では、縦框１２Ａ、１２Ｂと横框とは図６に示すように、ばね鋼材２８のほぞによって、図中二点鎖線で示す密着する方向に弾性付勢されているので、縦框１２Ａ、１２Ｂと横框の変形、及び框間の隙間の発生を防止することができる。よって、本実施の形態では、気密性及び水密性の優れた木製サッシの障子を提供することができる。
更に、本実施の形態では、ボルト３０の締結作業だけで内障子１０を組み立てることができるので、現地での組み立てが可能となる。
【００２９】
なお、図１、２において図中左側の縦框１２Ａの略中央部には、クレセント１８が設けられる。このクレセント１８は、図示しない外障子側のフックに係合自在であり、係合時に内障子１０と外障子とが閉状態で施錠される。
【００３０】
また、本実施の形態で説明した透明ガラス板１６は、複層ガラスで構成される。この複層ガラスは、２枚のガラス板をスペーサを介して構成されたものであり、その４辺縁部に沿ってシール材３８が一体的に成形され、また、４辺周部の表裏部にはビート材４０が一体的に成形されている。これらのシール材３８とビート材４０とは、縦框１２Ａ、１２Ｂの内側に形成された嵌合用凹条部４２、及び上框１４Ａ、下框１４Ｂの内側に形成された嵌合用凹条部４４に嵌入される。これにより、内障子１０に透明ガラス板１６が固定される。本実施の形態では、複層ガラスを適用したが、これに限られるものではなく、１枚のガラス板を適用してもよい。
【００３１】
図７は、第２の実施の形態に係る障子の組立構造の要部断面図であり、図１〜図６に示した第１の実施の形態と同一又は類似の部材については同一の符号を付してその説明は省略する。
【００３２】
図７の第２の実施の形態は、ほぞとしてばね鋼材を使用せず、鉄製でコ字状のチャンネル形ほぞ８２を使用し、且つ、ボルト３０に多数枚の皿ばね８４、８４…を互いに向き合うように重ねて挿入配置したものである。
【００３３】
ボルト３０のねじ部３１を、前記チャンネル形ほぞ８２のねじ孔８６に螺合させて締め付けていくと、皿ばね８４、８４…が圧縮されることにより皿ばね８４、８４…に復元力が生じ始め、この復元力によって下框１４Ｂと縦框１２Ｂとが互いに引き寄せられて密着する。また、下框１４Ｂと縦框１２Ｂとが経時変化しても、下框１４Ｂと縦框１２Ｂとは、皿ばね８４、８４…に復元力によって密着する方向に弾性付勢されているので、下框１４Ｂと縦框１２Ｂの変形、及び框間の隙間の発生を防止することができる。
【００３４】
【発明の効果】
以上説明したように本発明に係る障子の組立構造によれば、ほぞをばね鋼によって構成したので、障子の組み立てが容易になる。
また、本発明では、木製の縦框と横框とが経時変化しても、縦框と横框とは、ばね鋼によって密着する弾性方向に付勢されているので、縦框と横框の変形、及び框間の隙間の発生を防止することができる。よって、本発明では、気密性及び水密性の優れた木製サッシの障子を提供することができる。
【図面の簡単な説明】
【図１】本実施の形態に係る障子の組立構造が適用された木製サッシの障子の斜視図
【図２】図１に示した障子の分解斜視図
【図３】障子の縦框と横框との連結部を示す要部拡大斜視図
【図４】障子の縦框と横框との連結部の縦断面図
【図５】図３中５−５線に沿う断面図
【図６】ほぞを構成するＬ字状のばね鋼材で縦框と横框との連結部に付勢力を与えている状態を示す説明図
【図７】第２の実施の形態の障子の組立構造を示す要部断面図
【符号の説明】
１０…内障子
１２Ａ、１２Ｂ…縦框
１４Ａ…上框
１４Ｂ…下框
１６…透明ガラス板
１８…クレセント
２８…ばね鋼材
３０…ボルト


【手続補正２】
【補正対象書類名】図面
【補正対象項目名】図５
【補正方法】変更
【補正の内容】
【図５】
1998131636.tif 000001